(57)【要約】【課題】製造コストを増加させることなく電池の消耗を抑えて、異常が発生した加熱手段の識別情報とその異常内容の識別情報とをコンパクトに表示することができる加熱装置を提供する。【解決手段】複数の加熱手段のうち、何れかの加熱手段の作動に関連する異常が発生したとき、その加熱手段と異常内容とを検出する異常検出手段１６を設ける。異常検出手段１６により異常が検出された加熱手段の識別情報と異常内容の識別情報とを記憶する異常情報記憶手段３２，３３，３４，３５を設ける。各加熱手段の識別情報と各異常内容の識別情報とを選択的に表示可能な表示器１２を設ける。異常情報記憶手段３２，３３，３４，３５に記憶された異常加熱手段の識別情報と異常内容の識別情報とを表示器１２に交互に表示させる異常表示制御手段３７を設ける。【選択図】図２
2004044869.tif 000002
【特許請求の範囲】
【請求項１】
複数の加熱手段と、
何れかの加熱手段の作動に関連する異常が発生したとき、その加熱手段と異常内容とを検出する異常検出手段と、
該異常検出手段により異常が検出された加熱手段の識別情報と異常内容の識別情報とを記憶する異常情報記憶手段と、
各加熱手段の識別情報と各異常内容の識別情報とを選択的に表示可能な表示器と、
前記異常情報記憶手段に記憶された異常加熱手段の識別情報と異常内容の識別情報とを前記表示器に交互に表示させる異常表示制御手段とを備えることを特徴とする加熱装置。
【請求項２】
前記表示器は、２桁の数字・記号が表示可能な７セグメント式表示器であり、各加熱手段の識別情報と各異常内容の識別情報とは、該表示器に表示可能な数字・記号によって構成されていることを特徴とする請求項１記載の加熱装置。
【発明の詳細な説明】
【０００１】
【発明の属する技術分野】
本発明は、ガスコンロ等の加熱装置に関する。
【０００２】
【従来の技術】
従来、ガスコンロにおいては、該ガスコンロに備えるバーナ等の加熱手段に異常が発生した場合に、その異常内容を表示させる表示器を備えるものが知られている。該表示器は、異常内容を示すエラーコード（数字による識別情報）を表示するため、一般に、７セグメント式ＬＥＤによる表示器が採用されている。そして、異常内容を示すエラーコードは、通常２桁の数字によって表されるので、この種の表示器は、２つの７セグメント式ＬＥＤにより２桁の数字が表示可能に構成されている。
【０００３】
ところで、この種のガスコンロには複数のバーナが設けられているが、前記異常内容を示すエラーコードを表示器に表示しただけでは、何れのバーナに異常が発生したものかが不明であるために、異常が生じたバーナを見つけ出す作業に手間がかかる不都合があった。
【０００４】
そこで、３つの７セグメント式ＬＥＤを設けて数字３桁の表示を可能とし、２桁の部分に異常内容を示すエラーコードを表示させると同時に、残りの１桁の部分にバーナを識別する表示を行なうものが知られている（例えば、特開平６−５８５４５号公報参照）。
【０００５】
しかし、３つの７セグメント式ＬＥＤからなる表示器を設ける場合には、２つの７セグメント式ＬＥＤからなる表示器に比して部品点数が増加するため製造コストが増加する不都合がある。また、３つの７セグメント式ＬＥＤからなる表示器は、２つの７セグメント式ＬＥＤからなる表示器に比して消費電力が増加するため、電源が電池による場合には、電池の消耗が大となり電池寿命が低下する不都合がある。
【０００６】
【発明が解決しようとする課題】
かかる不都合を解消して、本発明は、製造コストを増加させることなく電池の消耗を抑えて、異常が発生した加熱手段の識別情報とその異常内容の識別情報とをコンパクトに表示することができる加熱装置を提供することを目的とする。
【０００７】
【課題を解決するための手段】
かかる目的を達成するために、本発明は、複数の加熱手段と、何れかの加熱手段の作動に関連する異常が発生したとき、その加熱手段と異常内容とを検出する異常検出手段と、該異常検出手段により異常が検出された加熱手段の識別情報と異常原因の識別情報とを記憶する異常情報記憶手段と、各加熱手段の識別情報と各異常原因の識別情報とを選択的に表示可能な表示器と、前記異常情報記憶手段に記憶された異常加熱手段の識別情報と異常原因の識別情報とを前記表示器に交互に表示させる異常表示制御手段とを備えることを特徴とする。
【０００８】
本発明によれば、先ず、複数の加熱手段のうちの何れかの加熱手段の作動に関連する異常が発生したとき、その異常の影響を受ける加熱手段とその異常原因とが前記異常検出手段により検出される。加熱手段の作動に関連する異常とは、例えば、加熱手段がガスバーナであるとき、該ガスバーナの点火エラーや立ち消え等の運転中の異常、或いはガスバーナのガス供給を司る電磁弁や燃焼に関して電気的な制御を行なう電子ユニット等の各部品の故障を挙げることができる。
【０００９】
次いで、異常検出手段によって異常が検出された加熱手段の識別情報とその異常原因の識別情報とが、前記異常情報記憶手段に記憶される。そして、前記異常情報記憶手段に記憶された加熱手段の識別情報とその異常原因の識別情報とは、前記異常表示制御手段によって前記表示器に交互に表示される。即ち、表示器においては、先ず、異常原因の識別情報が表示され、次いで、異常が検出された加熱手段の識別情報が表示され、以降はこれらが交互に表示される。こうすることにより、例えば、加熱手段の識別情報と異常原因の識別情報との夫々が２桁以内の数字とされているならば、２桁を越える桁数を表示しなくとも十分な情報を表示することができ、異常に関する情報を極めてコンパクトに表示することができる。しかも、必要な情報を確実に表示して使用者やメンテナンス作業者に確認させることができる。
【００１０】
また、本発明において、前記表示器は、２桁の数字・記号が表示可能な７セグメント式表示器であり、各加熱手段の識別情報と各異常内容の識別情報とは、該表示器に表示可能な数字・記号によって構成されていることを特徴とする。
【００１１】
本発明によれば、前記表示器を２桁の数字・記号が表示可能な７セグメント式表示器とすることにより、２桁の数字・記号からなる情報を交互に表示して複数の情報をコンパクトに表示させることができる。そして、加熱手段の識別情報と異常原因の識別情報との夫々が２桁以内の数字・記号とされいることにより、２桁の７セグメント式表示器によって容易に加熱手段の識別情報と異常原因の識別情報とを表示させることができる。これによって、従来のように３桁以上の７セグメント式表示器を設けた場合に比べて、部品点数が少なく製造コストの増加を防止することができ、電池を電源とする場合には電池の消耗を小として電池寿命の短縮を防止することができる。
【００１２】
【発明の実施の形態】
本発明の一実施形態を図面に基づいて説明する。図１は本実施形態であるガスコンロを示す説明図、図２はガスコンロの制御装置の構成を示すブロック図、図３は表示制御部の作動を示すフローチャート、図４は異常表示部の作動を示すフローチャート、図５は表示器の表示状態を示す説明図である。
【００１３】
本実施形態の加熱装置であるガスコンロ１は、図１に示すように、所謂グリル付き三口ビルトインコンロであり、加熱手段として標準火力バーナ（Ｍバーナ）２、大火力バーナ（Ｈバーナ）３、小火力バーナ（Ｓバーナ）４、及び上下一対のグリルバーナ（図示せず）を備えるグリル５が設けられている。該グリル５の両側の前面には、各バーナ２，３，４及びグリル５の点火・消火スイッチ６，７，８，９が設けられ、更に、Ｍバーナ２の運転モードやタイマを操作する操作パネル１０が設けられている。該操作パネル１０には、モード設定を行なう複数のスイッチからなるモード設定スイッチ群１１及び表示器１２が設けられている。該表示器１２は、２桁の７セグメントＬＥＤによって構成されており、タイマ時間及び後述する異常時の識別コードが２桁の数字で表示可能となっている。
【００１４】
そして、各部の制御は、図２に示す制御装置１３によって行なわれる。即ち、図２においてブロック図により示すように、制御装置１３は、各バーナ２，３，４及びグリル５の燃焼運転を制御する燃焼制御部１４と、Ｍバーナ２及びグリル５のタイマ運転の制御を行なうタイマ制御部１５とを備えている。また、該制御装置１３は、各バーナ２，３，４及びグリル５の異常を検出する異常検出部１６を備え、更に、前記表示器１２の表示内容を制御する表示制御部１７を備えている。
【００１５】
前記燃焼制御部１４は、前記Ｍバーナ用点火・消火スイッチ６の点火操作に応じてＭバーナ用ガス安全弁１８を開弁し、点火用イグナイタ１９及びＭバーナ用バイパス電磁弁２０を作動させてＭバーナ２の点火を行なう。Ｍバーナ２の燃焼状態はＭバーナ用熱電対２１により検知される。Ｍバーナ用熱電対２１は、Ｍバーナ２の燃焼炎を感知して起電力を発生するセンサであり、Ｍバーナ用熱電対２１によってＭバーナ２の点火エラーや失火エラー等の異常が検知される。そして、該燃焼制御部１４は、前記Ｍバーナ用点火・消火スイッチ６の消火操作に応じてＭバーナ用ガス安全弁１８を閉弁し、Ｍバーナ２の消火を行なう。また、前記Ｈバーナ用点火・消火スイッチ７が点火操作されると、該燃焼制御部１４はＨバーナ用ガス安全弁２２を開弁し、点火用イグナイタ１９を作動させてＨバーナ３の点火を行なう。Ｈバーナ３における点火エラーや失火エラー等の異常はＨバーナ用熱電対２３により検知される。同じように、前記Ｓバーナ用点火・消火スイッチ８が点火操作されると、該燃焼制御部１４はＳバーナ用ガス安全弁２４を開弁し、点火用イグナイタ１９を作動させてＳバーナ４の点火を行なう。Ｓバーナ４の異常検知はＳバーナ用熱電対２５により行なわれる。グリル５についても同様に該燃焼制御部１４によって制御され、前記グリル用点火・消火スイッチ９の点火操作に応じてグリル用ガス安全弁２６を開弁すると共に、点火用イグナイタ１９の作動によりグリルの燃焼運転を行なう。グリル５の異常検知はグリル上火用熱電対２７とグリル下火用熱電対２８とにより行なわれる。
【００１６】
また、該燃焼制御部１４は、Ｍバーナ２及びグリルの運転時に前記タイマ制御部１５に基づく制御を行なう。前記タイマ制御部１５は、タイマ２９と、該タイマ２９によりＭバーナ２の燃焼時間を制御するコンロタイマ制御部３０と、該タイマ２９によりグリル５の燃焼時間を制御するグリルタイマ制御部３１とを備えている。なお、該燃焼制御部１４は、モード設定用スイッチ群１１の操作によって設定された各運転モード（タイマ運転を含む）に基づいて制御する。
【００１７】
前記異常検出部１６は、各熱電対２１，２３，２５，２７，２８により検知された異常をはじめ、各バーナ２，３，４及びグリル５の作動に関する各種異常を検出する。該異常検出部１６は、Ｍバーナ２に係る異常内容を記憶するＭバーナ用異常情報記憶部３２、Ｈバーナ３に係る異常内容を記憶するＨバーナ用異常情報記憶部３３、Ｓバーナ４に係る異常内容を記憶するＳバーナ用異常情報記憶部３４、及び、グリル５に係る異常内容を記憶するグリル用異常情報記憶部３５を備えている。
【００１８】
前記表示制御部１７は、タイマ表示制御部３６と異常表示制御部３７とを備え、前記表示器１２にタイマ表示と異常表示とを選択的に表示させる。タイマ表示制御部３６は、前記タイマ制御部１５のタイマ設定時間、残り時間等のタイマ作動時間に係る表示を前記表示器１２に２桁の数字で表示させる。また、異常表示制御部３７は、前記異常検出部１６によって異常が検出されたとき、異常個所（各バーナ２，３，４及びグリル５のうち異常が検出されたもの）の情報と、その異常内容とを交互に前記表示器１２に表示させる。具体的には後述するが、例えば、前記異常検出部１６によってＭバーナ２の異常が検出され、Ｍバーナ用異常情報記憶部３２に異常内容が記憶されたとき、前記表示制御部１７は異常表示制御部３７により、前記表示器１２にＭバーナ用異常情報記憶部３２に記憶されている異常内容をエラーコード（２桁の数字）で表示し、次いで、Ｍバーナ２の識別情報を識別コード（１桁の数値、或いは記号と数字とを組み合わせた２桁表示）で表示し、その後これらを交互に表示する。なお、本実施形態においては、前記表示制御部１７は、表示器１２への表示の優先順位を、タイマの残時間表示、グリル５に係るエラー表示、Ｍバーナ２に係るエラー表示、Ｈバーナ３に係るエラー表示、Ｓバーナ４に係るエラー表示の順に設定されている。しかし、表示器１２への表示の優先順位はこれに限るものではなく、例えば、タイマの残時間表示よりもエラー表示を優先させてもよい。
【００１９】
ここで、前記表示制御部１７の作動の一例を詳説する。図３に示すように、表示制御部１７の作動が開始されると（ＳＴＥＰ１）、ＳＴＥＰ２に進み、グリル５のタイマ運転が行なわれている（グリルタイマ制御部３１による制御が行なわれている）ときには、更にＳＴＥＰ３に進む。ＳＴＥＰ３においては、Ｍバーナ２のタイマ運転が行なわれている（コンロタイマ制御部３０による制御が行なわれている）ときＳＴＥＰ４に進む。ＳＴＥＰ４においては、Ｍバーナ２のタイマ運転に関する設定スイッチ操作が５秒間行なわれなかったときＳＴＥＰ５に進み、表示器１２によるＭバーナ２のタイマの残時間表示が行なわれる。即ち、前記表示制御部１７は、グリル５とＭバーナ２との両方がタイマ運転中であり、且つ５秒以上Ｍバーナ２のタイマ操作が行なわれなかったとき、タイマ表示制御部３６により表示器１２にＭバーナ２のタイマの残時間を表示させる。
【００２０】
また、ＳＴＥＰ２において、グリル５のタイマ運転が行なわれていないときにはＳＴＥＰ６に進み、Ｍバーナ２のタイマ運転が行なわれている場合にはＳＴＥＰ５に進んで表示器１２にＭバーナ２のタイマの残時間を表示させる。
【００２１】
また、ＳＴＥＰ３においてＭバーナ２のタイマ運転が行なわれていないとき、又は、ＳＴＥＰ４においてＭバーナ２のタイマ操作の非操作時間が５秒未満のときには、ＳＴＥＰ７に進んで表示器１２にグリル５のタイマの残時間を表示させる。
【００２２】
一方、ＳＴＥＰ６において、Ｍバーナ２のタイマ運転が行なわれていない場合にはＳＴＥＰ８に進む。ＳＴＥＰ８においては、前記異常検出部１６によりグリル５の異常発生が検出されているときＳＴＥＰ９に進み、前記異常表示制御部３７により表示器１２にエラー表示（グリル５の識別コードと、エラーコードとの交互表示）を行なう。ＳＴＥＰ８においてグリル５の異常発生が検出されていないとき、或いは、グリル５の異常が解決されたときには、ＳＴＥＰ１０に進む。ＳＴＥＰ１０においては、前記異常検出部１６によりＭバーナ２の異常発生が検出されているときＳＴＥＰ１１に進んで表示器１２にＭバーナ２のエラーに関する表示を行なう。同じようにＳＴＥＰ１２へ進んでＨバーナ３の異常発生時には、ＳＴＥＰ１３により表示器１２にＨバーナ３のエラーに関する表示を行ない、その後、ＳＴＥＰ１４へ進んでＳバーナ４の異常発生時には、ＳＴＥＰ１５により表示器１２にＳバーナ４のエラーに関する表示を行なう。
【００２３】
次に、図３のフローチャートにおけるＳＴＥＰ９、ＳＴＥＰ１１、ＳＴＥＰ１３、及びＳＴＥＰ１５での処理内容である、前記異常表示制御部３７による表示器１２へのエラー表示について説明する。図４に示すように、ＳＴＥＰ１６によりエラー表示が開始されると、先ず、ＳＴＥＰ１７により表示器１２にエラーコード（異常内容）を点灯表示させる。エラーコードは、前記異常情報記憶部３２〜３５に記憶される異常情報をコード化して２桁の数字で表されたものであり、各異常内容により予め定められているものである。例えば、エラーコード“１１”は点火エラー、エラーコード“１２”は失火エラー、エラーコード“７０”は電子ユニット故障を示している。このとき、図５（ａ）に示すように、表示器１２が２桁の７セグメント式ＬＥＤであることにより、点火エラーが発生しているときには、エラーコード“１１”とする各セグメントが点灯される。
【００２４】
図４に示すように、次いでＳＴＥＰ１８に進み、０．５秒間エラーコードを表示させたところで、ＳＴＥＰ１９へ進んでエラーコードを消灯させる。続いて、ＳＴＥＰ２０において０．５秒間消灯させた後、ＳＴＥＰ２１に進んで表示器１２に各バーナ２，３，４及びグリル５のうち異常が検出されたもの（異常箇所）の識別コードを表示させる。このとき、図５（ｂ）に示すように、表示器１２が２桁の７セグメント式ＬＥＤであることにより、エラーがグリル５で発生しているときには、グリル５の識別コード「５」が下位桁に点灯し、上位桁には「−」が点灯されて”−５”が表示される。上位桁の「−」によりエラーコードとの誤認を防止している。該識別コードは、各バーナ２，３，４及びグリル５を識別するための数字であり、“−５”はグリル５に係る異常、“−１”はＭバーナ２に係る異常、“−３”はＨバーナ３に係る異常、“−２”はＳバーナ４に係る異常を示している。
【００２５】
そして、図４に示すように、ＳＴＥＰ２２に進み、０．５秒間識別コードを表示させたところで、ＳＴＥＰ２３へ進んで消灯させ、更にＳＴＥＰ２４において０．５秒間消灯させる。その後、異常が解決されるまでＳＴＥＰ１７〜ＳＴＥＰ２４が繰り返され、図５（ａ）に示すエラーコードと図５（ｂ）に示す識別コードとが表示器１２に交互に表示される。
【００２６】
以上のように、前記異常表示制御部３７によって異常内容を示すエラーコードと各バーナ２，３，４及びグリル５の識別コードとを交互に表示させるので、３桁以上の表示は不要であり、表示器１２が２桁であっても異常個所とその内容を容易に確認することができる。
【図面の簡単な説明】
【図１】本発明の一実施形態であるガスコンロを示す説明図。
【図２】ガスコンロの制御装置の構成を示すブロック図。
【図３】表示制御部の作動を示すフローチャート。
【図４】異常表示部の作動を示すフローチャート。
【図５】表示器の表示状態を示す説明図。
【符号の説明】
１…ガスコンロ（加熱装置）、２…Ｍバーナ（加熱手段）、３…Ｈバーナ（加熱手段）、４…Ｓバーナ（加熱手段）、５…グリル（加熱手段）、１２…表示器、１６…異常検出部（異常検出手段）、３２，３３，３４，３５…異常情報記憶部（異常情報記憶手段）、３７…異常表示制御部（異常表示制御手段）。
【図１】
2004044869.tif 000003
【図２】
2004044869.tif 000004
【図３】
2004044869.tif 000005
【図４】
2004044869.tif 000006
【図５】
2004044869.tif 000007